(57)【要約】【課題】  落下させた際に生じる衝撃や、製品輸送時に生じる振動による衝撃などにより、バネの付勢力で位置制限部材に押さえ付けられたミラーが振動し、硬質の位置制限部材に衝突して破損する虞がない撮像装置を提供する。【解決手段】  加速度センサによって一定以上の加速度が検出されると、モータおよびギアからなる機械的機構によってメインミラー３ａを反射位置から退避位置に駆動させる。退避位置に駆動されたメインミラー３ａは、機械的機構によって退避位置に保持されるため、ユーザの過失でデジタルカメラ１を落下させて地面Ｒに衝突した際に生じる衝撃や、製品輸送時に生じる振動による衝撃などを受けても、振動しない。このため、デジタルカメラ１が衝撃を受けても、メインミラー３ａが硬質のミラー位置制限部材３ｅに衝突して破損する虞はなくなる。【選択図】  図７
2012008444.tif 000002
【特許請求の範囲】
【請求項１】
撮像装置内に入射する被写体光をファインダーに導く反射位置に付勢手段によって付勢されて保持される、または、被写体を撮像する撮像部に前記被写体光を導く退避位置に機械的機構によって保持される反射手段と、
撮像装置に加わる加速度を検出する加速度検出手段と、
前記加速度検出手段によって一定以上の加速度が検出されると前記反射手段を前記反射位置から前記退避位置に駆動する駆動手段と
を備える撮像装置。
【請求項２】
請求項１に記載の撮像装置において、
前記駆動手段は、所定条件が満たされると、前記退避位置に駆動した前記反射手段を前記退避位置から前記反射位置に復帰させることを特徴とする撮像装置。
【請求項３】
請求項２に記載の撮像装置において、
前記所定条件は、前記駆動手段によって前記反射手段が前記退避位置に駆動された後、前記加速度検出手段によって一定未満の加速度が一定時間以上検出された場合、または、前記加速度検出手段によって一定未満の加速度が一定回数に亘って連続して検出された場合に、満たされることを特徴とする撮像装置。
【請求項４】
請求項１から請求項３のいずれか１項に記載の撮像装置において、
撮像装置内に入射する被写体光の光路を遮断する遮光幕と、
前記光路から退避した前記遮光幕を保護する前記光路から外れた位置に設けられる保護部材と、
前記加速度検出手段によって一定以上の加速度が検出されると前記遮光幕を前記保護部材によって保護される位置に移動させる移動手段とを備えた撮像装置。
【請求項５】
請求項４に記載の撮像装置において、
前記被写体光を電気信号に変換する前記撮像部によって逐次電気信号に変換される被写体像をライブビュー表示するライブビュー表示手段と、
前記加速度検出手段によって一定以上の加速度が検出されて、前記駆動手段によって前記反射手段が前記退避位置に駆動されると共に、前記移動手段によって前記遮光幕が前記保護部材によって保護される位置に移動された場合に、前記ライブビュー表示手段によってライブビュー表示される被写体像を静止画像または動画像として記録する記録手段と
を備えることを特徴とする撮像装置。
【発明の詳細な説明】
【技術分野】
【０００１】
本発明は、撮像装置内に入射する被写体光をファインダーに導く反射位置または撮像部に導く退避位置に保持される反射手段を備えた撮像装置に関する。
【背景技術】
【０００２】
従来、このような撮像装置としては、例えば、特許文献１に開示されているような一眼レフ型のカメラがある。このようなカメラには、一般的に、カメラ筐体内に入射した被写体光を反射させてファインダーに導くミラー、および、機械的に開閉を行って撮像部の露光時間を制御するメカシャッタが備えられている。ミラーは、硬い材質からなる位置制限部材にバネによって押さえ付けられて反射位置に保持されている。撮影時にはギアで構成される機械的機構がモータによって駆動されてミラーアップさせられ、退避位置に保持される。
【先行技術文献】
【特許文献】
【０００３】
【特許文献１】特開２００６−２６７３６７号公報
【発明の概要】
【発明が解決しようとする課題】
【０００４】
しかしながら、上記従来のカメラは、落下させた際に生じる衝撃や、製品輸送時に生じる振動による衝撃などにより、バネの付勢力で位置制限部材に押さえ付けられたミラーが振動し、硬質の位置制限部材に衝突して破損する虞があった。また、上記の衝撃により、メカシャッタのシャッタ幕が撓んで変形したり、飛び出して破損したりする虞もあった。
【課題を解決するための手段】
【０００５】
本発明はこのような課題を解決するためになされたもので、
撮像装置内に入射する被写体光をファインダーに導く反射位置に付勢手段によって付勢されて保持される、または、被写体を撮像する撮像部に被写体光を導く退避位置に機械的機構によって保持される反射手段と、
撮像装置に加わる加速度を検出する加速度検出手段と、
加速度検出手段によって一定以上の加速度が検出されると反射手段を反射位置から退避位置に駆動する駆動手段と
を備えて、撮像装置を構成した。
【０００６】
本構成によれば、加速度検出手段によって一定以上の加速度が検出されると、駆動手段によって反射手段が反射位置から退避位置に駆動される。退避位置に駆動された反射手段は、機械的機構によって退避位置に保持されるため、撮像装置を落下させた際に生じる衝撃や、製品輸送時に生じる振動による衝撃などを受けても、振動しない。このため、撮像装置が衝撃を受けても、反射手段が硬質の位置制限部材に衝突して破損する虞はなくなる。
【０００７】
また、本発明は、駆動手段が、所定条件が満たされると、退避位置に駆動した反射手段を退避位置から反射位置に復帰させることを特徴とする。
【０００８】
本構成によれば、所定条件が満たされると、退避位置に保持されている反射手段が駆動手段によって反射位置に復帰される。このため、所定条件が満たされると、反射手段が速やかに元の撮像可能な状態に復帰させられ、使用者の撮影操作に支障を来すことがなくなる。
【０００９】
また、本発明は、上記所定条件が、駆動手段によって反射手段が退避位置に駆動された後、加速度検出手段によって一定未満の加速度が一定時間以上検出された場合、または、加速度検出手段によって一定未満の加速度が一定回数に亘って連続して検出された場合に、満たされることを特徴とする。
【００１０】
本構成によれば、駆動手段によって反射手段が退避位置に駆動された後、加速度検出手段によって一定未満の加速度が一定時間以上検出された場合、または、加速度検出手段によって一定未満の加速度が一定回数に亘って連続して検出された場合に、上記所定条件が満たされ、退避位置に保持されている反射手段が駆動手段によって反射位置に復帰される。このため、加速度検出手段によって検出される加速度が一定未満で一定時間以上または一定回数に亘って連続したもので、撮像装置に悪影響を与える衝撃が加わっていないことが識別されると、反射手段が速やかに元の撮像可能な状態に復帰させられ、使用者の撮影操作に支障を来すことがなくなる。
【００１１】
また、本発明は、
撮像装置内に入射する被写体光の光路を遮断する遮光幕と、
光路から退避した遮光幕を保護する光路から外れた位置に設けられる保護部材と、
加速度検出手段によって一定以上の加速度が検出されると遮光幕を保護部材によって保護される位置に移動させる移動手段とを備えたことを特徴とする。
【００１２】
本構成によれば、加速度検出手段によって一定以上の加速度が検出されると、移動手段により、遮光幕が保護部材によって保護される位置に移動させられる。このため、遮光幕は、撮像装置を落下させた際に生じる衝撃や、製品輸送時に生じる振動による衝撃などを受けても、保護部材によって保護されるので、撓んで変形したり、飛び出して破損したりする虞がなくなる。
【００１３】
また、本発明は、
被写体光を電気信号に変換する撮像部によって逐次電気信号に変換される被写体像をライブビュー表示するライブビュー表示手段と、
加速度検出手段によって一定以上の加速度が検出されて、駆動手段によって反射手段が退避位置に駆動されると共に、移動手段によって遮光幕が保護部材によって保護される位置に移動された場合に、ライブビュー表示手段によってライブビュー表示される被写体像を静止画像または動画像として記録する記録手段と
を備えることを特徴とする。
【００１４】
本構成によれば、加速度検出手段によって一定以上の加速度が検出されて、駆動手段によって反射手段が退避位置に駆動されると共に、移動手段によって遮光幕が保護部材によって保護される位置に移動された場合に、ライブビュー表示手段によってライブビュー表示される被写体像が記録手段によって静止画像または動画像として記録される。このため、記録手段によって記録された静止画像または動画像から、どのような状況下で撮像装置に衝撃が加わったのかを知ることができる。従って、撮像装置に破損が生じていた場合などには、衝撃が加わった状況を解析することで、撮像装置の設計を見直す等の対策を講じることができる。
【発明の効果】
【００１５】
本発明によれば、上記のように、撮像装置が衝撃を受けても、反射手段が硬質の位置制限部材に衝突して破損する虞はなくなる。
【図面の簡単な説明】
【００１６】
【図１】本発明の一実施形態によるデジタルカメラの断面図である。
【図２】（ａ）は図１に示すメインミラーが反射位置にある状態の正面斜視図であり、（ｂ）は（ａ）に示すメインミラーを反射位置から退避位置に移動させた際の正面斜視図である。
【図３】図１に示すデジタルカメラの筐体内に設けられたレリーズ待機時におけるシャッタユニットの構造を示した図である。
【図４】図３に示すシャッタユニットに備えられた遮光幕の斜視図である。
【図５】図１に示すデジタルカメラで行われるメインミラーおよびシャッタユニットの衝撃からの保護制御処理を示したフローチャートである。
【図６】図１に示すデジタルカメラを落下させた際の図である。
【図７】（ａ）は図１に示すデジタルカメラの、メインミラーを退避位置に移動させた際の断面図であり、（ｂ）は図１に示すデジタルカメラの、シャッタ先幕をシャッタ幕収納室に収納させた際の断面図である。
【図８】図１に示すデジタルカメラの、シャッタ後幕をシャッタ幕収納室から走行させた際の断面図である。
【図９】従来のデジタルカメラが落下して不具合が生じたシャッタユニットの構造を示した図である。
【発明を実施するための形態】
【００１７】
本発明による撮像装置をデジタルカメラに適用した一実施の形態について説明する。
【００１８】
図１は、この一実施の形態によるデジタルカメラ１の断面図である。
【００１９】
デジタルカメラ１には、外部から筐体１ａ内部に被写体光を取り込む撮影レンズ２が設けられている。撮影レンズ２の後方には、筐体１ａ内に入射した被写体光を上方のペンタプリズム４へ反射させるメインミラー３ａが設けられている。ペンタプリズム４へ反射された被写体光は、接眼レンズ５ａ，５ｂで構成されたファインダーを介して撮影者に視認される。メインミラー３ａは、ミラー保持部材３ｂに光反射材料が蒸着されるなどして形成されており、メインミラー３ａの斜め左上方にはミラー緩衝材９が設けられている。また、メインミラー３ａの背面には、メインミラー３ａを透過した一部の被写体光を、図示しないＡＦ（Auto Focus）センサーに導くサブミラー３ｃが設けられている。サブミラー３ｃの後方には、シャッタユニット６を介して撮像部を構成する撮像素子７が設けられている。撮像素子７は、ＣＣＤ（Charge Coupled Device）やＣＭＯＳ（Complementary Metal Oxide Semiconductor）などからなり、シャッタユニット６が開くことで受光面に被写体光が入射し、被写体光を電気信号に変換して被写体像を撮像する。また、デジタルカメラ１には、撮像素子７によって逐次電気信号に変換される被写体像を図示しない背面モニタなどにライブビュー表示させるライブビュー表示手段が設けられている。ライブビュー表示手段は、ＣＰＵ（Central Processing Unit）からなるカメラエンジンなどで構成される。
【００２０】
図２（ａ）は、図１に示す反射位置にあるミラーダウン状態のメインミラー３ａの正面斜視図、同図（ｂ）は、退避位置にミラーアップした状態のメインミラー３ａの正面斜視図である。
【００２１】
メインミラー３ａが形成されたミラー保持部材３ｂは、両上端部３ｄ，３ｄが筐体１ａ内に回動自在に支持されている。ミラー保持部材３ｂの下端部は、図示しない付勢手段を構成するバネによって図の下方に付勢され、硬い材質からなるミラー位置制限部材３ｅに押さえ付けられている。バネのこの付勢力により、メインミラー３ａは、デジタルカメラ１内に入射する被写体光を反射させてファインダーに導く反射位置に保持されている。ミラー保持部材３ｂは、図示しないレリーズボタンが操作されると、図示しないギアから構成される機械的機構がモータによって駆動され、デジタルカメラ１内に入射した被写体光をメインミラー３ａによって反射させずに撮像素子７に被写体光を導く同図（ｂ）に示す退避位置に、退避軌道Ａに沿って駆動される。これにより、メインミラー３ａはミラーアップする。この際、ミラー保持部材３ｂは、下端部がミラー緩衝材９によって受け止められ、ミラーアップ時に生じる衝撃が吸収される。メインミラー３ａは、同図（ａ）に示す反射位置にバネによって付勢されて保持される、または、同図（ｂ）に示す退避位置にギアから構成される機械的機構によって保持される反射手段を構成している。
【００２２】
また、デジタルカメラ１には、デジタルカメラ１に加わる加速度を検出する図示しない加速度センサが加速度検出手段として設けられている。加速度センサによって、一定以上の加速度、本実施形態では９．８ｍ／ｓ２以上の加速度が検出されると、上記ＣＰＵによって上記モータが駆動される。モータが駆動されると、メインミラー３ａは、上述したように、同図（ｂ）に示す退避位置にミラーアップされ、退避位置で保持される。モータおよびＣＰＵは、加速度センサによって一定以上の加速度が検出されると、メインミラー３ａを反射位置から退避位置に駆動する駆動手段を構成している。駆動手段は、所定条件が満たされると、退避位置に駆動したメインミラー３ａを退避位置から反射位置に復帰させる。本実施形態では、この所定条件は、駆動手段によってメインミラー３ａが退避位置に駆動された後、加速度センサによって一定未満、本実施形態では９．８ｍ／ｓ２未満の加速度が一定時間以上、本実施形態では１０秒以上検出された場合に、満たされる。
【００２３】
図３は、図１に示すデジタルカメラ１の筐体１ａ内に設けられた、レリーズ待機時および電源オフ時におけるシャッタユニット６の構造を示し、同図（ａ）はシャッタユニット６の正面図、同図（ｂ）は同図（ａ）のIIIｂ−IIIｂ線に沿って破断した矢視断面図、同図（ｃ）は同図（ａ）のIIIｃ−IIIｃ線に沿って破断した矢視断面図である。
【００２４】
シャッタユニット６は、中央部に矩形状の開口部１４が形成された厚い板状のシャッタ保護部材１１ａと、同様に中央部に矩形状の開口部１４が形成された薄い板状のシャッタ保護部材１１ｂとで挟まれて形成される空間に、シャッタ先幕１２ａとシャッタ後幕１２ｂとを備えて構成されている。シャッタ先幕１２ａとシャッタ後幕１２ｂとの間には、中央部に矩形状の開口部１４が形成された板状の仕切部材１３が備えられている。シャッタ先幕１２ａとシャッタ後幕１２ｂとは、仕切部材１３によって分けられた各空間に収納されて、相互に干渉しないように構成されている。シャッタ保護部材１１ａ，１１ｂおよび仕切部材１３にそれぞれ同様に設けられている開口部１４により、撮影レンズ２からの被写体光は、シャッタユニット６を通過して撮像素子７の受光面に入射する。
【００２５】
図４は、シャッタ先幕１２ａおよびシャッタ後幕１２ｂの斜視図であり、シャッタ先幕１２ａおよびシャッタ後幕１２ｂは、図３および図４に示されるように複数の羽根から構成されている。レリーズ待機時および電源オフ時におけるシャッタ先幕１２ａは、図３および図４に示されるように、複数の羽根の隣接する端部が一部重なり合いながら連なって延びて開口部１４を塞ぎ、撮影レンズ２から撮像素子７に向かう被写体光の光路を遮断している。シャッタ後幕１２ｂは、レリーズ操作時にシャッタ先幕１２ａが走行して開口部１４を開口させる動きに遅れて走行する。そして、折り畳まれていた羽根を延ばして行って、シャッタ先幕１２ａが開口させて行く開口部１４を後から塞いで行き、設定されているシャッタースピードに応じた時間だけ開口部１４を開口させて、撮影レンズ２から撮像素子７へ被写体光を入射させる。シャッタ先幕１２ａおよびシャッタ後幕１２ｂは、デジタルカメラ１内に入射する被写体光の光路を遮断する遮光幕を構成しており、本実施形態では、この光路における、撮像素子７の受光面に入射する被写体光を複数の羽根で遮断している。
【００２６】
レリーズ操作時にシャッタ先幕１２ａが開口部１４を開口させたときには、シャッタ先幕１２ａは、その複数の羽根が重なり合って折り畳まれ、シャッタ保護部材１１ｂと仕切部材１３との間の空間上部に形成されるシャッタ先幕収納室１５に収納される。また、レリーズ待機時および電源オフ時におけるシャッタ後幕１２ｂは、図３および図４に示されるように、その複数の羽根が重なり合って折り畳まれ、シャッタ保護部材１１ａと仕切部材１３との間の空間下部に形成されるシャッタ後幕収納室１６に収納されている。
【００２７】
また、シャッタユニット６には、シャッタ管制部１７が設けられている。シャッタ管制部１７の内部には、図示しないバネ、Ｍｇ（マグネット）係止部材、およびメカ係止部材が備えられている。バネは、シャッタ先幕１２ａおよびシャッタ後幕１２ｂを移動させて走行させる。Ｍｇ係止部材は、シャッタ先幕１２ａおよびシャッタ後幕１２ｂを走行させないように、バネ力に抗した位置に電磁力によってシャッタ先幕１２ａおよびシャッタ後幕１２ｂを係止させて保持する。図示しない通電制御部は、Ｍｇへの通電を制御して、Ｍｇ係止部材によるシャッタ先幕１２ａおよびシャッタ後幕１２ｂの係止状態を制御する。メカ係止部材は、外部から大きな衝撃が与えられてＭｇ係止部材による係止が解除されても、また、Ｍｇへの通電が行われない状態でも、シャッタ先幕１２ａおよびシャッタ後幕１２ｂを走行させないように、バネ力に抗した位置にシャッタ先幕１２ａおよびシャッタ後幕１２ｂを機械的に保持させる。
【００２８】
また、上記加速度センサにより、一定以上の加速度、本実施形態では９．８ｍ／ｓ２以上の加速度が検出されると、上記ＣＰＵによってシャッタ管制部１７が制御され、Ｍｇ係止部材およびメカ係止部材によるシャッタ先幕１２ａの係止が解除されて、図１および図３に示すように開口部１４を塞いでいたシャッタ先幕１２ａがシャッタ先幕収納室１５に収納される。シャッタ先幕収納室１５を構成するシャッタ保護部材１１ｂおよび仕切部材１３は、光路から退避したシャッタ先幕１２ａを保護する、光路から外れた位置に設けられる保護部材を構成する。また、ＣＰＵおよびシャッタ管制部１７は、加速度センサによって一定以上の加速度が検出されると、シャッタ先幕１２ａをシャッタ保護部材１１ｂおよび仕切部材１３によって保護される位置に移動させる移動手段を構成している。デジタルカメラ１は、上記加速度センサによって一定以上の加速度、本実施形態では９．８ｍ／ｓ２以上の加速度が検出されて、機械的機構、モータ、およびＣＰＵによってメインミラー３ａが退避位置に駆動されると共に、ＣＰＵおよびシャッタ管制部１７によってシャッタ先幕１２ａがシャッタ先幕収納室１５に収納されてシャッタ保護部材１１ｂおよび仕切部材１３よって保護される位置に移動された場合に、ライブビュー表示手段によってライブビュー表示される被写体像を静止画像または動画像としてメモリーカードなどの記憶媒体に記録する記録手段を備えている。
【００２９】
図５は、上述した構成を備えたデジタルカメラ１のＣＰＵによるメインミラー３ａおよびシャッタユニット６の衝撃からの保護制御処理を示したフローチャートである。
【００３０】
ＣＰＵは、Ｓ１において、加速度センサによってデジタルカメラ１の加速度を検出し、Ｓ２において、検出されたデジタルカメラ１の加速度が閾値の９．８ｍ／ｓ２よりも大きな値であるか否かを判定する。デジタルカメラ１が落下していない状態、または、例えば、図６（ａ）に示すように、デジタルカメラ１がユーザの過失により落下し始めた直後で、検出される加速度の値が閾値よりも小さな値の状態である場合には、Ｓ２の判定結果が“Ｎｏ”となり、処理はＳ１に戻される。一方、図６（ｂ）に示すように、デジタルカメラ１がさらに落下し続け、検出される加速度の値が閾値よりも大きな値の状態であると判定された場合には、Ｓ２の判定結果が“Ｙｅｓ”となり、ＣＰＵは、Ｓ３において、デジタルカメラ１の電源がＯＮ状態であるか否かを判定する。デジタルカメラ１の電源がＯＦＦ状態であり、Ｓ３の判定結果が“Ｎｏ”であった場合、ＣＰＵは、Ｓ４においてデジタルカメラ１の電源をＯＮにする。
【００３１】
デジタルカメラ１の電源がＯＮ状態であり、Ｓ３の判定結果が“Ｙｅｓ”であった場合、または、Ｓ４の処理の後、ＣＰＵは、Ｓ５において、モータを制御して、図７（ａ）に示すように、メインミラー３ａを点線で示すミラーダウンした反射位置から実線で示す退避位置に移動させて、メインミラー３ａをミラーアップさせる。なお、図７において図１と同一部分には同一符号を付してその説明は省略する。次に、ＣＰＵは、Ｓ６において、シャッタ幕を衝撃から保護する設定がされているか否かを判定する。シャッタ幕を保護する設定がされており、Ｓ６の判定結果が“Ｙｅｓ”であった場合、ＣＰＵは、Ｓ７においてシャッタ管制部１７を制御して、シャッタ先幕１２ａおよびシャッタ後幕１２ｂのメカ係止部材による係止を解除する。次に、ＣＰＵは、Ｓ８において、シャッタ先幕１２ａを係止するＭｇ係止部材のＭｇへの通電を停止させる。Ｍｇへの通電が停止されると、Ｓ９において、Ｍｇ係止部材によるシャッタ先幕１２ａの係止が解除され、シャッタ先幕１２ａは、Ｓ１０において、バネ力によって下から上に向かって走行し、塞いでいた開口部１４を開口させる。この結果、シャッタ先幕１２ａは、Ｓ１１において、図７（ｂ）に示すように、シャッタ先幕収納室１５に収納される。次に、ＣＰＵは、Ｓ１２において、ライブビュー撮影を行う設定がされているか否かを判定する。ライブビュー撮影を行う設定がされており、Ｓ１２の判定結果が“Ｙｅｓ”であった場合、ＣＰＵは、Ｓ１３において、ライブビュー撮影を行い、撮影レンズ２を介して入射される被写体像をライブビュー撮影設定に応じて静止画像または動画像として記録する。これにより、図６（ｂ）に示すようなデジタルカメラ１の落下中の周囲の状況が撮影される。
【００３２】
ライブビュー撮影を行う設定がされておらず、Ｓ１２の判定結果が“Ｎｏ”であった場合、または、Ｓ１３の処理の後、ＣＰＵは、Ｓ１４において、加速度センサで閾値より大きい加速度がＳ２で検出された後、閾値未満の加速度が一定時間以上検出されたか否かを判定する。閾値未満の加速度が一定時間以上検出されておらず、Ｓ１４の判定結果が“Ｎｏ”であった場合、ＣＰＵは、Ｓ１４の判定結果が“Ｙｅｓ”になるまで処理を繰り返す。一方、閾値未満の加速度が一定時間以上検出され、Ｓ１４の判定結果が“Ｙｅｓ”になった場合、ＣＰＵは、Ｓ１５において、シャッタ管制部１７を制御して、図８に示すように、バネ力によってシャッタ後幕１２ｂを下から上に向かって走行させ、開いている開口部１４を塞ぐ。なお、図８において図７と同一部分には同一符号を付してその説明は省略する。続いてＣＰＵは、開口部１４を一旦塞いだシャッタ後幕１２ｂを図７（ｂ）に示す元のチャージ状態に戻した後、Ｓ１６において、シャッタ管制部１７を制御して、シャッタ先幕収納室１５に収納されて保護されていたシャッタ先幕１２ａを、光路を遮断する図１および図３に示す位置に復帰させるシャッタ先幕チャージ処理を行う。
【００３３】
また、Ｓ６において、シャッタ幕を保護する設定がされておらず、Ｓ６の判定結果が“Ｎｏ”であった場合、ＣＰＵは、Ｓ１８において、加速度センサで閾値より大きい加速度がＳ２で検出された後、閾値未満の加速度が一定時間以上検出されたか否かを判定する。閾値未満の加速度が一定時間以上検出されておらず、Ｓ１８の判定結果が“Ｎｏ”であった場合、ＣＰＵは、Ｓ１８の判定結果が“Ｙｅｓ”になるまで処理を繰り返す。一方、閾値未満の加速度が一定時間以上検出され、Ｓ１８の判定結果が“Ｙｅｓ”になった場合、または、Ｓ１６の処理の後、ＣＰＵは、Ｓ１７において、モータを制御して、メインミラー３ａをミラーダウンさせて退避位置から図１に示す反射位置に復帰させる。
【００３４】
このような本実施形態によるデジタルカメラ１によれば、加速度センサによって一定以上の加速度が図５，Ｓ２の処理で検出されると、Ｓ５の処理において、モータおよびギアから構成される機械的機構によってメインミラー３ａが図７（ａ）に示すように反射位置から退避位置に駆動される。退避位置に駆動されたメインミラー３ａは、ギアから構成される機械的機構によって退避位置に保持されるため、振動しない。このため、デジタルカメラ１が、ユーザの過失などで落下して図６（ｃ）に示すように地面Ｒに衝突した際に生じる衝撃や、製品輸送時に生じる振動による衝撃などを受けても、メインミラー３ａが硬質のミラー位置制限部材３ｅに衝突して破損する虞はなくなる。また、上記実施形態によるデジタルカメラ１は、筐体１ａ内にミラー緩衝材９が備えられているため、メインミラー３ａが退避位置にミラーアップさせられた際にメインミラー３ａに生じる衝撃は、ミラー緩衝材９によって抑制される。このため、メインミラー３ａが破損する虞はより少なくなる。
【００３５】
また、本実施形態によるデジタルカメラ１によれば、モータおよび機械的機構によってメインミラー３ａが退避位置に駆動された後、図５，Ｓ１４またはＳ１８の処理において、加速度センサによって一定未満の加速度が一定時間以上検出され、所定条件が満たされると、Ｓ１７の処理において、図７に示す退避位置に保持されているメインミラー３ａが図１に示す反射位置に復帰される。このため、加速度センサによって検出される加速度が一定未満で一定時間以上のもので、デジタルカメラ１に悪影響を与える衝撃が加わっていないことが識別されると、メインミラー３ａが速やかに元の撮像可能な状態に復帰させられ、使用者の撮影操作に支障を来すことがなくなる。
【００３６】
また、本実施形態によるデジタルカメラ１によれば、加速度センサによって一定以上の加速度が図５，Ｓ２の処理で検出され、シャッタ幕を保護する設定がされていることがＳ６の処理で検出されると、シャッタ管制部１７により、Ｓ７〜Ｓ１１の処理で、シャッタ先幕１２ａがシャッタ先幕収納室１５に収納されてシャッタ保護部材１１ｂおよび仕切部材１３によって保護される位置に移動させられる。このため、シャッタ先幕１２ａは、ユーザの過失などでデジタルカメラ１を落下させて図６（ｃ）に示すように地面Ｒに衝突した際に生じる衝撃や、製品輸送時に生じる振動による衝撃などを受けても、シャッタ保護部材１１ｂおよび仕切部材１３によって保護される。この結果、例えば、図９（ａ）のシャッタユニット６の横断面図に示すように、シャッタ先幕１２ａが撓んで変形したり、同図（ｂ）のシャッタユニット６の横断面図および同図（ｃ）のシャッタユニット６の正面図に示すように、シャッタ先幕１２ａがシャッタ保護部材１１ａから飛び出して破損したりする虞がなくなる。なお、同図（ｂ）は同図（ｃ）のIXｂ−IXｂ線破断矢視断面図であり、図９において、図３と同一部分には同一符号を付してその説明は省略する。
【００３７】
また、シャッタ先幕１２ａおよびシャッタ後幕１２ｂは、本実施形態によるデジタルカメラ１のように複数の羽根で構成されると、１枚の羽根で構成される場合に比較して撓み易くなるが、加速度センサによって一定以上の加速度が検出されると、シャッタ管制部１７によりシャッタ先幕１２ａが移動させられてシャッタ保護部材１１ａ，１１ｂおよび仕切部材１３によって保護される。このため、本構成のように、シャッタ先幕１２ａおよびシャッタ後幕１２ｂが撓み易い場合には、シャッタ先幕１２ａおよびシャッタ後幕１２ｂが撓んで変形したり、飛び出して破損したりすることを特に効果的に防止することができる。
【００３８】
また、本実施形態によるデジタルカメラ１によれば、加速度センサによって一定以上の加速度が検出され、ライブビュー撮影を行う設定がされていることが図５，Ｓ１２の処理で検出されると、モータおよび機械的機構によってメインミラー３ａが退避位置に駆動されると共に、シャッタ管制部１７によってシャッタ先幕１２ａがシャッタ保護部材１１ｂと仕切部材１３によって保護される位置に移動させられてシャッタ先幕１２ａがシャッタ先幕収納室１５に収納された場合に、ライブビュー表示手段によってライブビュー表示される被写体像が記録手段によって静止画像または動画像として記録される。このため、記録手段によって記憶媒体に記録された静止画像または動画像から、どのような状況下でデジタルカメラ１に衝撃が加わったのかを知ることができる。従って、デジタルカメラ１に破損が生じていた場合などには、衝撃が加わった状況を解析することで、デジタルカメラ１の設計を見直す等の対策を講じることができる。
【００３９】
なお、上記実施形態においては、図５，Ｓ１７の処理において、退避位置に保持されているメインミラー３ａが反射位置に復帰する所定条件が、加速度センサによってデジタルカメラ１に一定未満の加速度が一定時間以上検出されると満たされる場合について説明したが、本発明はこれに限られることはない。例えば、加速度センサによって９．８ｍ／ｓ２未満といった一定未満の加速度が一定回数、例えば１０回に亘って連続して検出されると、所定条件が満たされるようにしてもよい。この構成においても、所定条件が満たされると、デジタルカメラ１に悪影響を与える衝撃が加わっていないことが識別され、メインミラー３ａが速やかに元の撮像可能な状態に復帰させられ、使用者の撮影操作に支障を来すことがなくなる。
【００４０】
また、上記実施形態によるデジタルカメラ１は、図５，Ｓ６におけるシャッタ幕を保護する設定、およびＳ１２におけるライブビュー撮影を行う設定がされていた場合に、シャッタ先幕１２ａがシャッタ保護部材１１ｂおよび仕切部材１３によって保護される位置に移動し、ライブビュー表示される被写体像が記録される場合について説明したが、本発明はこれに限られることはない。例えば、シャッタ幕を保護する設定およびライブビュー撮影を行う設定を条件とせず、加速度センサによって一定以上の加速度が検出された場合には、強制的に、シャッタ幕を保護してライブビュー撮影画像を記録する制御を行う構成にしてもよい。この構成においても、上記実施形態と同様の作用効果が奏される。
【００４１】
また、上記実施形態では、本発明をデジタルカメラ１に適用した場合について説明したが、本発明はこれに限られることはない。例えば、被写体像を撮像素子７でなくフィルムで撮像するいわゆる銀塩フィルムカメラに本発明を適用してもよい。銀塩フィルムカメラにおいても、一定以上の加速度が検出された際に、メインミラー３ａを反射位置から退避位置に駆動し、シャッタ先幕１２ａをシャッタ先幕収納室１５に移動させることにより、上記実施形態と同様の作用効果が奏される。
【００４２】
また、上記実施形態では、レリーズ待機時および電源オフ時にシャッタ先幕１２ａによって光路を遮断するデジタルカメラ１において、シャッタ先幕１２ａを保護する場合について説明したが、本発明はこれに限られることはない。例えば、レリーズ待機時および電源オフ時にシャッタ先幕１２ａおよびシャッタ後幕１２ｂによって、二重遮光を実施しているカメラに本発明を適用してもよい。この二重遮光を実施しているカメラでは、レリーズ待機時および電源オフ時において、撮影レンズ２から撮像素子７への光路がシャッタ先幕１２ａおよびシャッタ後幕１２ｂによって同時に遮断されている。そして、レリーズ操作時に始めに後幕リターン等と称する動作として、メカ係止が解除されてシャッタ後幕１２ｂが開口部１４から退避する。一定時間後、シャッタ先幕１２ａのＭｇ係止が解除されて走行する。さらに一定時間後、シャッタ後幕１２ｂのＭｇ係止が解除されて露出が完了する。このようなカメラに本発明を適用した場合には、シャッタ先幕１２ａおよびシャッタ後幕１２ｂは、加速度センサによって一定以上の加速度が検出された際に、シャッタ管制部１７により、シャッタ保護部材１１ａ，１１ｂおよび仕切部材１３によって保護される図７（ｂ）に示す位置に移動させられ、上記実施形態と同様の作用効果が奏される。
【００４３】
また、上記実施形態では、レリーズ待機時および電源オフ時に、メインミラー３ａおよびシャッタ先幕１２ａを保護してライブビュー撮影をする場合について説明したが、本発明はこれに限られることはない。例えば、図５のＳ３，Ｓ４の処理を省略し、電源オン時にのみメインミラー３ａおよびシャッタ先幕１２ａを保護してライブビュー撮影をするように構成してもよい。この構成においても、上記実施形態と同様の作用効果が奏される。
【符号の説明】
【００４４】
１…デジタルカメラ
３ａ…メインミラー
３ｂ…ミラー保持部材
３ｃ…サブミラー
３ｄ…回動部
３ｅ…ミラー位置制限部材
６…シャッタユニット
７…撮像素子
１１ａ，１１ｂ…シャッタ保護部材
１２ａ…シャッタ先幕
１２ｂ…シャッタ後幕
１３…仕切部材
１４…開口部
１５…シャッタ先幕収納室
１６…シャッタ後幕収納室
１７…シャッタ管制部
【図１】
2012008444.tif 000003
【図２】
2012008444.tif 000004
【図３】
2012008444.tif 000005
【図４】
2012008444.tif 000006
【図５】
2012008444.tif 000007
【図６】
2012008444.tif 000008
【図７】
2012008444.tif 000009
【図８】
2012008444.tif 000010
【図９】
2012008444.tif 000011